(57)【要約】【課題】申込者に希望作業期間と作業期間が重複した作業情報を申し込み段階で知らせて、無理なく作業期間の調整を促す。【解決手段】  要求箇所端末２０から送られてくる希望作業場所に基づいて、希望作業場所の作業場所情報に係る表示情報をネットワーク６０を介して要求箇所端末２０に送信し、要求箇所端末２０のＣＰＵ２１は、ディスプレイ２８にこの表示情報を表示する。この表示情報に基づいて入力され、要求箇所端末２０から送られてくる入力情報に含まれる希望作業期間に基づいて、ＣＰＵ１１が、ＨＤＤ１５に作業期間が重複する他の作業情報が記憶されているかを検索し、作業期間が重複する作業情報がある場合に、この重複する作業情報に係る表示情報を、ネットワーク６０を介して要求箇所端末２０に送信し、ＣＰＵ２１はディスプレイ２８に、この表示情報を表示する。【選択図】          図２
2007241869.tif 000002
【特許請求の範囲】
【請求項１】
作業の申し込みを行うための申込者側端末と、上記申込者側端末にネットワークを介して接続され、少なくとも作業場所、作業期間、作業内容および作業担当者に関する情報を含む作業情報を管理するサーバとで構成され、
上記サーバは、
上記作業情報を記憶する記憶部と、
上記申込者側端末から送られてくる入力画面読み出し要求に応じて、入力画面を表示するための第１の表示情報を送信する第１の送信制御部と、
上記申込者側端末から送られてくる、希望作業期間を少なくとも含む入力情報を受信する受信制御部と、
上記受信制御部で受信した上記入力情報に基づいて、上記入力情報に含まれる上記希望作業期間と作業期間が重複する作業情報を上記記憶部から読み出し、上記重複する作業情報に係る第２の表示情報を、上記ネットワークを介して上記申込者側端末に送信する第２の送信制御部とを有する
ことを特徴とする作業情報提供システム。
【請求項２】
作業の申し込みを行うための申込者側端末にネットワークを介して接続され、少なくとも作業場所、作業期間、作業内容および作業担当者に関する情報を含む作業情報を管理するサーバであって、
上記サーバは、
上記作業情報を記憶する記憶部と、
上記申込者側端末から送られてくる入力画面読み出し要求に応じて、入力画面を表示するための第１の表示情報を送信する第１の送信制御部と、
上記申込者側端末から送られてくる、希望作業期間を少なくとも含む入力情報を受信する受信制御部と、
上記受信制御部で受信した上記入力情報に基づいて、上記入力情報に含まれる上記希望作業期間と作業期間が重複する作業情報を上記記憶部から読み出し、上記重複する作業情報に係る第２の表示情報を、上記ネットワークを介して上記申込者側端末に送信する第２の送信制御部とを有する
ことを特徴とするサーバ。
【請求項３】
上記記憶部は、複数の作業場所に係る作業場所情報をさらに記憶しており、
上記入力画面読み出し要求には、少なくとも希望作業場所を特定する情報が含まれており、
上記第１の表示情報は、上記入力画面に、上記希望作業場所に係る作業場所情報を併せて表示するように生成されている
ことを特徴とする請求項２に記載のサーバ。
【請求項４】
上記作業場所は水力発電所であって、上記記憶部には、上記作業場所に係る作業場所情報として水力発電所の発電電力および水系統情報が記憶されている
ことを特徴とする請求項３に記載のサーバ。
【請求項５】
申込者側端末にネットワークを介して接続され、少なくとも作業場所、作業期間、作業内容および作業担当者に関する情報を含む作業情報を管理するサーバを用いた作業情報提供方法であって、
上記申込者側端末から送られてくる入力画面読み出し要求に応じて、入力画面を表示するための第１の表示情報を送信する第１の送信制御ステップと、
上記申込者側端末から送られてくる、希望作業期間を少なくとも含む入力情報を受信する受信制御ステップと、
受信した上記入力情報に基づいて、上記入力情報に含まれる上記希望作業期間と作業期間が重複する作業情報を記憶部から読み出す読み出しステップと、
上記重複する作業情報に係る第２の表示情報を、上記ネットワークを介して上記申込者側端末に送信する第２の送信制御ステップとを有する
ことを特徴とする作業情報提供方法。
【発明の詳細な説明】
【技術分野】
【０００１】
この発明は、申込者が希望する作業期間と重複する作業に係る作業情報を申込者に知らせる作業情報提供システム、サーバおよび作業情報提供方法に関する。
【０００２】
詳しくは、この発明は、作業情報を管理するサーバが、ネットワークを介して申込者側端末から送られてくる入力情報に基づいて、この入力情報に含まれる希望作業期間と作業日程が重複する作業情報に係る表示情報を申込者側端末に送信することによって、申込者に作業期間が重複した作業情報を申し込み段階で知らせて無理なく作業期間の調整を促すようにした作業情報提供システム等に係わるものである。
【背景技術】
【０００３】
従来、電力会社において停電を伴う作業を行う場合、停電調整箇所は給電規程に基づき、供給信頼度（電力を安定して供給する基準）の確保、効率的な発電、停電期間短縮を目的として作業調整をするため、作業年度の１年前に申し込みを受け付け、申込者は申し込みを行う際に、上記のことを考慮しなければならなかった。
【０００４】
このため、申込者は、資機材調達を行いつつ、作業場所が水力発電所である場合等には、必要に応じて需給電力および河川流入量の聞き取り等を行って、なるべく他の作業と同じ期間で作業を行うことが望まれた。
【０００５】
そこで、従来、電力会社における停電を伴う作業の作業期間の調整を自動的に行う作業停電計画システムが考案されている（特許文献１参照）。この作業停電計画システムは、複数の申込者（作業要求者）側端末で入力された入力情報（作業件名）をサーバが集約して、作業件名の日時を自動的に調整するものである。これにより、複数の作業が同じ期間に重複して行われるようになり、電力会社の停電期間を短縮することが容易となった。
【０００６】
【特許文献１】特開２００３−１１１２７６号公報
【発明の開示】
【発明が解決しようとする課題】
【０００７】
しかし、特許文献１に記載の作業停電計画システムは、作業期間を自動的に調整して停電期間の短縮化には貢献したものの、これによって、各作業場所で同じ期間に複数の大規模な作業が重なることがあり、作業員の確保ができないという問題が生じた。
【０００８】
また、この作業停電計画システムでは、申込者が申し込みを行う際に、他の申込者の申し込み状況を把握することができなかったため、直前になって作業員の確保が困難であることがわかった場合には、申込者は作業期間を調節しなおさなければならず、これに伴い、需給電力および河川流入量の聞き取り等を再度行わなければならなかった。
【０００９】
この発明の目的は、申込者に作業期間が重複した作業情報を申し込み段階で知らせて、無理なく作業期間の調整を促すことにある。
【課題を解決するための手段】
【００１０】
この発明の概念は、
作業の申し込みを行うための申込者側端末と、上記申込者側端末にネットワークを介して接続され、少なくとも作業場所、作業期間、作業内容および作業担当者に関する情報を含む作業情報を管理するサーバとで構成され、
上記サーバは、
上記作業情報を記憶する記憶部と、
上記申込者側端末から送られてくる入力画面読み出し要求に応じて、入力画面を表示するための第１の表示情報を送信する第１の送信制御部と、
上記申込者側端末から送られてくる、希望作業期間を少なくとも含む入力情報を受信する受信制御部と、
上記受信制御部で受信した上記入力情報に基づいて、上記入力情報に含まれる上記希望作業期間と作業期間が重複する作業情報を上記記憶部から読み出し、上記重複する作業情報に係る第２の表示情報を、上記ネットワークを介して上記申込者側端末に送信する第２の送信制御部とを有する
ことを特徴とする作業情報提供システムにある。
【００１１】
この発明において、サーバは、ネットワークを介して、申込者側端末に接続されている。申込者とは、作業の申し込みを行う者のことであり、申込者側端末は、例えば、電力会社内の工事、点検を行う箇所に設置されている。
【００１２】
また、このサーバは、作業情報を管理している。作業情報は、少なくとも、作業場所（例えば、発電所、変電所、送電線等）、作業期間、作業内容、および作業担当者に関する情報を含んでいる。作業担当者に関する情報とは、例えば、作業担当者の名前や連絡先等である。これらの情報は、記憶部に記憶されている。
【００１３】
また、上述した作業情報に加えて、作業場所に係る作業場所情報を記憶するようにしてもよい。作業場所情報とは、例えば、作業場所が水力発電所である場合には、過去何年間の河川流入量およびこの水力発電所の発電電力量、そして、これらの情報に基づいて計算された来年度の予想河川流入量および予想発電電力量である。
【００１４】
このように来年度の予想河川流入量および予想発電電力量を記憶するのは、停電を伴う作業の申し込みは、作業開始年度の前年に計画されて申し込みが行われることになっているためである。
【００１５】
サーバは、ネットワークを介して申込者側端末から送られてくる入力画面の読み出し要求に応じて、入力画面を表示するための第１の表示情報を申込者側端末に送信する。申込者側端末のディスプレイには、例えば、申込者が作業を希望する希望作業期間および希望作業場所を入力するための、入力画面が表示される。
【００１６】
また、このとき、希望作業場所を特定する情報が入力画面の読み出し要求に含まれている場合には、上述した作業場所情報のうち、希望作業場所の作業情報を記憶部から読み出して表示するようにしてもよい。作業場所情報が入力画面と併せて表示されることで、例えば、作業場所が水力発電所である場合には、申込者は電力供給信頼度に影響がない時期や、溢水電力を伴わない、あるいは少ない時期を容易に把握することができるとともに、需給電力や河川流入量等の聞き取りを行う手間を省くことができる。
【００１７】
申込者は、表示された入力画面を見て、作業を行ってもその作業場所の需給電力に影響がないと思われる期間を選択して、入力画面に、少なくとも、希望作業期間、希望作業場所を入力して、この入力情報を、ネットワークを介してサーバに送信する。
【００１８】
サーバは、この入力情報を受信して、この入力情報に含まれる希望作業期間と重複する作業期間で申し込まれた作業情報が記憶部に記憶されているかを検索し、重複する作業情報がある場合、サーバは、その重複する作業情報に係る第２の表示情報を、ネットワークを介して申込者側端末に送信する。
【００１９】
第２の表示情報は、重複する作業の作業期間、作業場所、作業内容、および作業担当者に関する情報（担当者名、担当者の連絡先等）を少なくとも含んでおり、この第２の表示情報を申込者側端末に送信することで、申込者は、希望作業期間と作業期間が重複する他の作業情報を、申し込む前の段階で容易に把握することができる。
【００２０】
申込者は、表示される表示内容を見て、作業内容から作業員の確保が困難であると判断する場合は、作業期間を調整しなおして、調整後の希望作業期間を入力画面に再度入力するようにしてもよいし、また、作業内容から作業員の確保に問題がないと判断する場合は、このまま申し込みを行うようにしてもよい。
【００２１】
このように、サーバが申し込み段階で希望作業期間と作業期間が重複する作業を知らせることができるので、申込者に無理なく作業期間の調整を促すことができる。
【発明の効果】
【００２２】
この発明によれば、作業情報を管理するサーバが、ネットワークを介して申込者側端末から送られてくる入力情報に基づいて、この入力情報に含まれる希望作業期間と作業日程が重複する作業情報に係る表示情報を申込者側端末に送信するものであり、申込者に作業期間が重複した作業情報を申し込み段階で知らせて無理なく作業期間の調整を促すことができる。
【発明を実施するための最良の形態】
【００２３】
以下、この発明の実施の形態について説明を行う。
【００２４】
図１は、この発明の実施の形態である、作業情報提供システム１００の構成を示す図である。以下、図１を用いて作業情報提供システム１００の構成について説明する。
【００２５】
図１に示すように、作業情報提供システム１００は、サーバ１０と、このサーバ１０とそれぞれネットワーク６０を介して接続された、申込者側端末としての要求箇所端末２０と、調整箇所端末３０と、決定箇所端末４０と、情報提供端末５０とからなる。また、このネットワーク６０は、例えば、社内ＬＡＮ（Local Area Network）またはインターネットで構成されている。
【００２６】
要求箇所端末２０は、例えば、作業を行う工事担当箇所等にあり、電力会社に停電を伴った作業の申し込みを行うために使用される端末である。なお、図１においては、要求箇所端末２０は一つのみ示されているが、実際には複数個がネットワーク６０に接続されている。
【００２７】
調整箇所端末３０は、例えば制御所に設置され、申し込まれた作業によって生じる停電が、電力供給信頼度を下げない程度であるかを計算するため等に用いられる。また、決定箇所端末４０は、例えば、制御所、基幹給電制御所、中央給電指令所に設置され、調整箇所端末３０から送られてくる計算値に基づいて、作業の申し込み内容を受け付けるか否かを決定するために用いられる。また、情報提供端末５０は、例えば、制御所、基幹給電制御所、中央給電指令所、あるいは土木課に設置され、電力需給・河川状況の把握や、故障が発生した箇所などを報告する際に用いられる。
【００２８】
図２は、サーバ１０および要求箇所端末２０の詳細な構成を示す図である。以下、図２を用いてサーバ１０および要求箇所端末２０の説明を行う。
【００２９】
サーバ１０は、図２に示すように、ＣＰＵ（Central Processing Unit）１１と、ＲＡＭ（Random Access Memory）１２と、ＲＯＭ（Read Only Memory）１３と、ネットワークＩ／Ｆ（Interface）１４ａと、入出力Ｉ／Ｆ（Interface）１４ｂと、記憶部としてのＨＤＤ（Hard Disk Drive）１５とを有しており、これらはバス１９に接続されている。また、入出力Ｉ／Ｆ１４ｂには、ユーザーインターフェイスとしてのキーボード１６と、マウス１７と、ディスプレイ１８とが接続されている。
【００３０】
ＣＰＵ１１は、サーバ１０の全体の動作を制御するものである。ＲＡＭ１２は、ＣＰＵ１１のワーキングエリアとして機能する。ＲＯＭ１３は、ＣＰＵ１１の動作を制御するための、制御プログラムやデータ等を格納している。ＣＰＵ１１は、ＲＯＭ１３に格納されている制御プログラムを必要に応じて読み出し、ＲＡＭ１２に転送して展開する。そして、ＣＰＵ１１は、ＲＡＭ１２に展開された制御プログラムを読み出して実行することで、サーバ１０の各部を制御する。
【００３１】
ネットワークＩ／Ｆ１４ａは、ネットワーク６０を介してデータの送受信を行うためのインターフェイスである。また、入出力Ｉ／Ｆ１４ｂは、データのやり取りの制御方法などを規定する。キーボード１６やマウス１７によって操作された入力情報は、入出力Ｉ／Ｆ１４ｂを介してＣＰＵ１１によって処理される。また、ＣＰＵ１１によって制御される表示情報も、入出力Ｉ／Ｆ１４ｂを介してディスプレイ１８に表示される。ディスプレイ１８は、ＬＣＤ（Liquid Crystal Display）等の表示器によって構成されている。
【００３２】
ＨＤＤ１５は、申し込まれた作業に係る複数の作業情報を記憶している。作業情報とは、停電を伴う作業に関する情報のことであり、ＨＤＤ１５は、各作業の作業場所、作業期間、作業に伴って発電に支障をきたす発電支障期間、作業担当者の名前、所属箇所および連絡先を記憶している。
【００３３】
また、ＨＤＤ１５は、作業場所に係る作業場所情報を記憶している。作業場所情報とは、例えば、作業場所が水力発電所である場合は、過去３年分の河川流入量の実績値、過去３年分の総発電電力量、配電総合、そしてこれらに基づいて算出された、来年度の河川流入量、総発電電力量、配電総合の各予想値を含む。ＨＤＤ１５は記憶部を構成している。
【００３４】
要求箇所端末２０は、同じく図２に示すように、ＣＰＵ２１と、ＲＡＭ２２と、ＲＯＭ２３と、ネットワークＩ／Ｆ２４ａと、入出力Ｉ／Ｆ２４ｂと、ＨＤＤ２５とを有しており、これらはバス２９に接続されている。また、入出力Ｉ／Ｆ２４ｂには、キーボード２６と、マウス２７と、ディスプレイ２８とが接続されている。各部の構成および動作については、上述したサーバ１０の対応する部分と同じであるので、その詳細については説明を省略する。
【００３５】
また、調整箇所端末３０、決定箇所端末４０、および情報提供端末５０の詳細な構成および動作については、サーバ１０および要求箇所端末２０と同じであるので、説明を省略する。
【００３６】
図３は、要求箇所端末２０から申し込みを受けた際の、サーバ１０のＣＰＵ１１の動作を示すフローチャートである。次に、図３を用いて、申込者によって作業の申し込みがされる際のＣＰＵ１１の動作について説明する。
【００３７】
まず、ＣＰＵ１１は、ステップＳＴ１で要求箇所端末２０から、ネットワーク６０を介して作業場所を入力する入力画面の読み出し要求を受信して、動作をスタートする。ＣＰＵ１１は、ステップＳＴ２で、ステップＳＴ１で送られてきた読み出し要求に応じて、作業場所を入力する入力画面を表示するための表示情報を、ネットワーク６０を介して要求箇所端末２０に送信する。
【００３８】
要求箇所端末のＣＰＵ２１は、この表示情報をネットワークＩ／Ｆ２４ａで受信し、バス２９、入出力Ｉ／Ｆ２４ｂを介してディスプレイ２８に供給する。ディスプレイ２８には、図４に示す表示情報が表示される。
【００３９】
図４は、作業を希望する作業場所（希望作業場所）を入力するための入力画面である。入力画面には、作業場所としての発電所、変電所、送電線、ダムが縦に並んで表示され、申込者が各項目の右側に表示されたボックスから、作業場所を、マウス２７を用いて選択するように構成されている。
【００４０】
例えば、申込者は、Ａ発電所を希望する場合、発電所の右側にあるボックスの矢印を選択すると表示される複数の発電所の中から、Ａ発電所をマウス２７で選択する。また、キーボード２６で発電所名を手入力することも可能である。選択または手入力されたＡ発電所は、図４に示すように、大きく表示される。この後、申込者は、下部に表示された「確認」と書かれたボタンをマウス２７で選択する。
【００４１】
確認ボタンが選択されると、ＣＰＵ１１は、ステップＳＴ３で、希望作業場所に関する入力情報を受信したと判断し、ステップＳＴ４に進む。なお、この入力情報を受信するまで、ＣＰＵ１１はステップＳＴ３の動作を繰り返し、ステップＳＴ１５で所定時間（例えば１０分）が経過したと判断すると、ステップＳＴ１８で動作を終了する。
【００４２】
ステップＳＴ４では、ＣＰＵ１１は、Ａ発電所に係る作業場所情報をＨＤＤ１５から読み出し、ステップＳＴ５で、このＡ発電所に係る作業場所情報を表示するための表示情報を、ネットワークＩ／Ｆ１４ａ、ネットワーク６０を介して、要求箇所端末２０に送信する。
【００４３】
要求箇所端末２０のＣＰＵ２１は、送られてきた表示情報をネットワークＩ／Ｆ２４ａで受信し、バス２９、入出力Ｉ／Ｆ２４ｂを介してディスプレイ２８に供給する。図５は、このときディスプレイ２８に表示される表示例を示した図である。図５に示すように、ディスプレイ２８の画面には、Ａ発電所の、２００６年度（来年度）の９月の各予想値が日にちごとに表示されている。ここでは９月の予想値が表示されているが、９月に限らず、申込者がアクセスした日付に合わせた月を初めに表示するようにしている。
【００４４】
また、図５に示すように、上述した「来年予想値」とともに、「過去１年実績値」、「過去２年実績値」、「過去３年実績値」が書かれた３つのボタンが並べて表示されている。例えば、「過去１年実績値」をマウス２７で選択すると、前年の９月の実績値が表示される。なお、表示する月を変更する際は、画面の中央に示す、月を選択するための矢印を選択して、表示を希望する月を選択する。
【００４５】
申込者は図５に示す作業場所情報を見て、作業を行うにあたって、最適な期間を判断し、「入力画面に進む」と書かれたボタンをマウス２７を用いて選択する。このボタンが選択されると、サーバ１０のＣＰＵ１１は、ステップＳＴ６で、入力画面の読み出し要求を受信したと判断し、ステップＳＴ７で入力画面の表示情報（第１の表示情報）をネットワーク６０を介して要求箇所端末２０に送信する。このとき、ＣＰＵ１１は第１の送信制御部を構成している。
【００４６】
また、逆に、ステップＳＴ６で読み出し要求を受信していないと判断し、所定時間が経過していれば（ステップＳＴ１６）、ステップＳＴ１８で動作を終了する。所定時間が経過していない場合は、ステップＳＴ６およびステップＳＴ１６の動作を繰り返す。
【００４７】
要求箇所端末２０のＣＰＵ２１は、この表示情報をネットワークＩ／Ｆ２４ａで受信し、ディスプレイ２８に供給する。図６は、このときディスプレイ２８に表示される入力画面を示した図である。図６に示すように、希望作業場所であるＡ発電所が左上に表示されており、その右には、件名、つまり作業内容を入力するための項目がある。その下には、作業期間および発電に支障がでる期間を入力するための項目がある。
【００４８】
発電に支障がでる期間を入力するのは、例えば、Ａ発電所とＣ発電所とで同じ期間に停電を伴う作業が行われる場合、電力供給信頼度に支障が生じるおそれがあるためである。この項目は調整機関および決定箇所によってチェックされる。逆に、この項目に期間が記入されなければ、発電に支障のない作業であることがわかる。
【００４９】
申込者は、キーボード２６を用いて、件名、作業日時、およびＡ発電所の発電に支障がでる期間の入力を行う。また、その下には、作業が毎日連続して行われるのか、あるいは断続的に行われるものなのかを選択する項目があり、いずれかをマウス２７で選択する。下部には、担当者の名前、所属箇所、連絡先を入力する項目があり、申込者は、キーボード２６を用いて入力する。
【００５０】
全ての項目の入力が終わると、申込者によって、右下にある「申し込む」と書かれたボタンがマウス２７で選択される。ＣＰＵ２１は、ネットワークＩ／Ｆ２４ａ、ネットワーク６０を介して、この入力された入力画面（入力情報）をサーバ１０に送信する。
【００５１】
サーバ１０のＣＰＵ１１は、ネットワークＩ／Ｆ１４ａで送られてくる入力情報を受信すると、ステップＳＴ８で入力情報を受信したと判断する。このときＣＰＵ１１は受信制御部を構成している。この後、ＣＰＵ１１はステップＳＴ９でＨＤＤ１５が記憶する作業情報の中に、入力情報に含まれる作業期間と重複する作業があるかを検索する。
【００５２】
逆に、申込者が入力情報を送信しなかった場合等、ＣＰＵ１１がステップＳＴ８で入力情報を受信していないと判断し、ステップＳＴ１７で所定時間が経過したと判断した場合は、ステップＳＴ１８で一連の動作を終了する。
【００５３】
ＣＰＵ１１は、ステップＳＴ９で検索した結果、ステップＳＴ１０で作業期間が重複する作業情報があると判断した場合は、ステップＳＴ１１で、その重複する作業情報に係る表示情報（第２の表示情報）を、ネットワーク６０を介して要求箇所端末２０に送信する。このときＣＰＵ１１は第２の送信制御部を構成している。
【００５４】
要求箇所端末２０のＣＰＵ２１は、送られてきたこの表示情報をディスプレイ２８に供給し、ディスプレイ２８には図７に示す画面が表示される。
【００５５】
図７に示すように、重複する作業があることが表示され、重複する作業の作業期間、発電支障がある期間、担当者の所属箇所、名前および連絡先が表示される。
【００５６】
申込者は、この画面を見て、自分自身が申し込む作業と、この重複する作業とが同じ期間で行われたとしても、作業員の確保に問題はないかを判断する。また、件名および発電支障の欄を見て、Ａ発電所およびＢ発電所が同時期に停電となることで、電力供給信頼度に影響がないかを総合的に判断する。申し込み者が、問題がないと判断すれば、マウス２７を用いて画面の右下に表示される「申し込む」のボタンを選択する。
【００５７】
このように「申し込む」のボタンが選択されると、ＣＰＵ１１は、ステップＳＴ１２で申込者が申し込みを希望していると判断し、ステップＳＴ１３に進む。また、ステップＳＴ１０で、ＣＰＵ１１が、作業期間が重複する作業情報がないと判断した場合も、同じくステップＳＴ１３に進む。
【００５８】
また、申込者が、図７に示す画面を見て、重複する作業が表示され、期間が重なることで発電に支障がでると判断するか、あるいは作業員の確保が難しいと判断する場合は、図７に示す「作業期間を調整する」と書かれたボタンが選択される。サーバ１０のＣＰＵ１１は、ステップＳＴ１２で、申込者がこの作業期間での申込を希望していないと判断し、ステップＳＴ７に戻り、図６に示す入力画面の表示情報を再度要求箇所端末２０に送信し、ステップＳＴ７からの動作が繰り返される。
【００５９】
ＣＰＵ１１はステップＳＴ１３で、申し込みが完了したことを示す表示情報を、ネットワーク６０を介して要求箇所端末２０に送信する。要求箇所端末２０のＣＰＵ２１は、送られてくる表示情報をディスプレイ２８に表示させる。図８は、このときディスプレイ２８に表示される表示例である。
【００６０】
また、図９に示すように、ステップＳＴ１０で重複する作業がないと判断された場合は、ステップＳＴ１３で重複する作業情報がないことが併記される。ＣＰＵ１１は、この後、ステップＳＴ１４でＨＤＤ１５に申し込み内容を記憶する。
【００６１】
図８または図９に表示される画面おいて、左下に表示される「続けて申し込む」のボタンが申込者によってマウス２７で選択されると、ＣＰＵ１１は、ステップＳＴ１８で続けて申し込みを希望していると判断し、ステップＳＴ２からの動作を繰り返す。
【００６２】
また、ステップ１８で続けて申し込みを希望していないと判断する場合であって、申込者によって図８および図９の右下に表示される「件名一覧表表示」のボタンが選択された場合は、ＣＰＵ１１はステップＳＴ１９で申込者が件名の一覧表の表示を希望していると判断し、ステップＳＴ２１で件名一覧表を作成した後、ステップＳＴ２２で一覧表の表示情報を、ネットワーク６０を介して要求箇所端末２０に送信する。
【００６３】
要求箇所端末２０のＣＰＵ２１は、送られてくる表示情報をディスプレイ２８に表示させる。図１０は、このときディスプレイ２８に表示される表示例である。この後、ＣＰＵ１１はステップＳＴ２３で一連の動作を終了する。
【００６４】
また、ステップＳＴ１９で件名の一覧表の表示を希望していないと判断し、ステップＳＴ２０で所定時間が経過した場合も、ステップＳＴ２３でＣＰＵ１１は動作を終了する。
【００６５】
以上、図３のフローチャートを用いて説明したような方法によって申し込みが完了すると、図１０に示す年度停電作業計画一覧表（停電作業に限らず）が、要求箇所の所属長に確認されて、承認され、図１に示す調整箇所端末３０に申し込み内容がＥメール等を用いて送信される。
【００６６】
調整箇所にいる人間は、送られてくる申し込み内容を見て、作業を行うことで作業員の人数は確保できるか、Ａ発電所をその期間停電させることに問題はないか等をチェックして、問題がなければ、この申し込み内容がネットワーク６０を介して、決定箇所端末４０に、送信される。決定箇所にいる人間は、決定箇所端末４０に送られた申し込み内容を見て、最終的な決定を下し、申込者に連絡する。
【００６７】
このように、申込者が希望作業場所を入力すると、図５に示す作業場所情報が表示されるので、電話等による聞き取りを行うことなく、申込者は最適な作業期間を容易に把握することができる上、図６に示す入力画面に希望作業場所および希望作業期間を入力することで、図７に示すように、作業期間が重複した作業情報が表示され、申し込み段階に作業期間が重複した作業情報を知ることができるので、作業期間を無理なく調整しなおすことができる。
【００６８】
なお、上述の実施の形態においては、重複する作業情報に係る表示情報には、作業期間、発電支障がある期間、担当者の所属箇所、名前および連絡先が含まれていたが、その作業に必要な作業員数を併せて表示するようにしてもよい。この場合、申込者が申し込む際にも、入力画面に必要な作業員数を入力するための項目が、図６に示す入力画面に設けられる。
【００６９】
このように必要な作業員数を併せて表示することで、作業を重複する作業の作業期間と同じ期間に申し込んだ場合に、作業員の確保ができるのかを大体把握することができる。
【産業上の利用可能性】
【００７０】
この発明は、作業情報を管理するサーバが、ネットワークを介して申込者側端末から送られてくる入力情報に基づいて、この入力情報に含まれる希望作業期間と作業日程が重複する作業情報に係る表示情報を申込者側端末に送信するものであって、発電所等の停電を伴う作業を申し込む際に適用することができる。
【図面の簡単な説明】
【００７１】
【図１】作業情報提供システム１００の構成を示す図である。
【図２】サーバ１０および要求箇所端末２０の詳細な構成を示した図である。
【図３】要求箇所端末２０が作業申込を行う際の、サーバ１０のＣＰＵ１１の動作を示すフローチャートである。
【図４】作業場所を入力するための入力画面の表示例である。
【図５】Ａ発電所の作業場所情報を表示した表示例である。
【図６】入力画面を表示した表示例である。
【図７】作業期間が重複する作業情報を表示した表示例である。
【図８】申し込みが完了したことを表示した表示例である。
【図９】作業期間が重複する作業がなく、申し込みが完了したことを表示した表示例である。
【図１０】年度作業計画一覧表を表示した表示例である。
【符号の説明】
【００７２】
１０・・・サーバ、１１，２１・・・ＣＰＵ、１２，２２・・・ＲＡＭ、１３，２３・・・ＲＯＭ、１４ａ，２４ａ・・・ネットワークＩ／Ｆ、１４ｂ，２４ｂ・・・入出力Ｉ／Ｆ、１５，２５・・・ＨＤＤ、１６，２６・・・キーボード、１７，２７・・・マウス、１８，２８・・・ディスプレイ、１９，２９・・・バス、２０・・・要求箇所端末、３０・・・調整箇所端末、４０・・・決定箇所端末、５０・・・情報提供端末、１００・・・作業情報提供システム
【図１】
2007241869.tif 000003
【図２】
2007241869.tif 000004
【図３】
2007241869.tif 000005
【図４】
2007241869.tif 000006
【図５】
2007241869.tif 000007
【図６】
2007241869.tif 000008
【図７】
2007241869.tif 000009
【図８】
2007241869.tif 000010
【図９】
2007241869.tif 000011
【図１０】
2007241869.tif 000012